(57)【要約】【課題】水回り部分の床暖房に有用に用いられる漏水検知機能を備えた床暖房パネルを提供する。【解決手段】漏水検知手段１を備えた床暖房パネルであって、該漏水検知手段１は微弱な電圧が加えられた２本の導線１１と、水の存在により上記導線１１間に電流が流れたとき、この通電を検知して床暖房パネルへの給電を遮断するコントローラ１２とからなるとともに、上記２本の導線１１が給電線４近傍に配設されていることを特徴とする。好ましくは、上記漏水検知手段１の２本の導線１１が、発熱体２に凹設された配線通路３の中で給電線４と並設される。【選択図】図１
2004138349.tif 000002
【特許請求の範囲】
【請求項１】
漏水検知手段を備えた床暖房パネルであって、該漏水検知手段は微弱な電圧が加えられた２本の導線と、水の存在により上記導線間に電流が流れたとき、この通電を検知して床暖房パネルへの給電を遮断するコントローラとからなるとともに、上記２本の導線が給電線近傍に配設されていることを特徴とする床暖房パネル。
【請求項２】
上記漏水検知手段の２本の導線が、発熱体に凹設された配線通路の中で給電線と並設された請求項１に記載の床暖房パネル。
【請求項３】
上記漏水検知手段の２本の導線が、発熱体に凹設された配線通路の裏面に裏面紙を介して取り付けられた請求項１に記載の床暖房パネル。
【請求項４】
上記配線通路の裏面に裏面紙を介して取り付けられる本の導線が、金属薄膜である請求項３に記載の床暖房パネル。
【請求項５】
上記隣り合う床暖房パネルの２本の導線どうしが、相互に接続可能とされた請求項１に記載の床暖房パネル。
【発明の詳細な説明】
【０００１】
【発明の属する技術分野】
本発明は、床暖房パネルに関する。さらに詳しくは、漏水検知機能の付いた床暖房パネルに関する。
【０００２】
【従来の技術】
従来から、隣り合う床暖房パネルを接続し、床面に複数の床暖房パネルを敷き詰めて任意の広さの部屋に対応させ、上記床暖房パネルに組み込んだヒーターを加熱して床面全体から部屋を暖房することが行なわれている。（例えば、特許文献１、２、３、４参照）
【０００３】
【特許文献１】
特開平１１−６３５４１号公報（第１−３頁、第１、２、３図）
【特許文献２】
特開平８−２７０９７１号公報（第１−３頁、第１、２、３図）
【特許文献３】
特開平７−３２４７６２号公報（第１−４頁、第１、２、３図）
【特許文献４】
特開平７−１８０８５３号公報（第１−３頁、第１図）
【０００４】
上記公知の床暖房パネルの一例を分解斜視図により、図８に示す。図８において、ヒーター２１、断熱材等を内蔵した発熱体２には配線通路３が凹設されており、給電線４が上記配線通路３に配設されたコネクタ５に接続されている。コネクタ５が配設された配線通路３は、矩形に切り欠かれ、コネクタ５の納まりがよいようにされている。上記のように構成された発熱体２は、表面化粧板６と、均熱板Ｋを介して積層され、上記表面化粧板６には、矩形の切り欠き部６１を設けて、コネクタ５と給電線４との接続部等を点検できるようにされ、さらに、上記矩形切り欠き部６１に蓋７を着脱自在に取り付けて、床暖房パネルとされている。
【０００５】
【発明が解決しようとする課題】
上記公知の床暖房パネルには、異常電流が流れた場合、直ちに給電を遮断する安全装置が万一の場合に備えて標準装備されている。しかしながら、上記床暖房パネルを、トイレット、キッチン、洗面所等、水との接触の多い水回り部分の床暖房に用いるためには、漏水、水濡れ等に備えて、より厳重な漏水検知機能を備える必要がある。そこで、本発明は、上記課題を解決して、優れた漏水検知機能を備えた床暖房パネルを提供することをその課題とする。
【０００６】
【課題を解決するための手段】
本発明は、上記課題を解決するために、つぎのような技術的手段を講じている。すなわち、本発明によれば、漏水検知手段を備えた床暖房パネルであって、該漏水検知手段は微弱な電圧が加えられた２本の導線と、水の存在により上記導線間に電流が流れたとき、この通電を検知して床暖房パネルへの給電を遮断するコントローラとからなるとともに、上記２本の導線が給電線近傍に配設されていることを特徴とする床暖房パネルが提供される。このようにすることにより、給電線の近傍に漏水、水濡れ等があった場合、常に電圧がかかっている上記２本の導線がセンサとして機能し、コントローラが、直ちに該漏水による通電を検知して床暖房パネルへの給電を遮断するため、水の浸入による給電線の短絡、漏電等による事故を未然に防ぐことができる。したがって、水との接触の多い水回り部分の床暖房に、特に、有用に用いられる。
【０００７】
上記漏水検知手段の２本の導線が、発熱体に凹設された配線通路の中で給電線と並設されることが好ましい。このようにすることによって、漏水、水濡れ等により表面化粧板の上に水が流れ、蓋と表面化粧板の隙間等から上記配線通路に浸水すると、２本の導線間に電流が流れるため、コントローラが該通電を検知し、直ちに給電線への給電が遮断される。
【０００８】
上記漏水検知手段の２本の導線が、発熱体に凹設された配線通路の裏面に裏面紙を介して取り付けられてもよい。このようにすることによって、漏水、水濡れ等により水が表面化粧板の上に流れ、隙間から浸入して床暖房パネルの裏面に回り、床暖房パネルの裏面に貼り付けられた裏面紙を濡らすと２本の導線間に電流が流れ、漏水が検知されて、直ちに給電線への給電が遮断される。
【０００９】
上記配線通路の裏面に裏面紙を介して取り付けられる２本の導線を、金属薄膜とすることが好ましい。銅箔、アルミ箔等電気伝導性のよい金属の薄膜を用いることにより、上記裏面紙との接触面積を大きくして、作業性よく取り付けることができる。
【００１０】
上記隣り合う床暖房パネルの２本の導線どうしが、相互に接続可能とされる。このようにすることによって、隣り合う床暖房パネルの２本の導線どうしをパネル間で相互に導線接続手段により接続して部屋の大きさに敷き詰め、部屋全体に対応して、漏水、水濡れ等を検知し、直ちに給電線への給電を遮断することができる。
【００１１】
【発明の実施の形態】
以下、本発明にかかる床暖房パネルの好ましい実施の形態について、実施例により、さらに詳細に説明する。
【００１２】
【実施例１】
図１は、実施例１にかかる床暖房パネルの分解斜視図であって、漏水検知手段１は、センサとして機能する２本の導線１１と、コントローラ１２とから構成される。図１からよくわかるように、上記２本の導線１１は、発熱体２に凹設された配線通路３中で給電線４と並設されている。図２に、図１に示すＡ−Ａ線に沿う側断面図を示す。図２において、床暖房パネルを使用中は、配線通路３は、点線で示される蓋７でカバーされているため、上記内部構造が外部から見えることはない。しかし、漏水や、水濡れ等により水が表面化粧板６の上に流れ、蓋７と表面化粧板６の隙間等から配線通路３に浸水すると、２本の導線１１間に電流が流れる。この電流は、コントローラ１２で検知され、直ちに給電線４への給電を遮断するように作動する。このようにすることによって、水の浸入による給電線４の短絡、漏電等による事故を未然に防ぐことができる。
【００１３】
【実施例２】
図３は、実施例２にかかる床暖房パネルの分解斜視図である。図４は、図３における、Ｂ−Ｂ線に沿う側断面図である。図３、図４からよくわかるように、本実施例においては、センサとして機能する２本の導線１１として金属薄膜が用いられ、発熱体２に凹設された配線通路３の裏面に裏面紙８を介して取り付けられている。このようにすることにより、漏水や、水濡れ等により水が表面化粧板６から床暖房パネルの裏面に流れ、裏面に貼り付けられた裏面紙８を濡らすと２本の導線１１間に電流が流れ、漏水が検知される。漏水を検知したコントローラ１２は、直ちに給電線４への給電を遮断するように作動する。このようにすることによって、床暖房パネルの裏面での漏水等による給電線４の短絡、漏電等による事故を未然に防ぐことができる。
【００１４】
実施例１、実施例２において説明した床暖房パネルは、部屋の広さに応じて複数枚を並べて使用する場合が多い。このときは、図５に示すように、最端部の床暖房パネルの２本の導線１１をコントローラ１２に接続し、隣り合う床暖房パネルの２本の導線１１どうしをパネル間で相互に接続手段１１１で接続して敷き詰める。このとき、上記２本の導線１１を、上記配線通路３の裏面に裏面紙８を介して取り付けられる２本の金属薄膜とすることが、接続の容易さの面から好ましい。
【００１５】
また、上記接続手段１１１にも、漏水を検知するセンサ機能を付与しているため、床暖房パネルどうしの隙間からの漏水にも対応することができる。このようにして、漏水を検知したコントローラ１２は、給電コントローラＣに給電遮断を指令し、かくして、部屋全体に対応して、漏水等を検知し、水の浸入による給電線４の短絡、漏電等による事故を未然に防ぐことができる。なお、図５においては、コントローラ１２と、給電コントローラＣとは別体とされているが、両者を一体的に構成してもよい。
【００１６】
本発明においては、さらに、発熱体２は、過昇温防止装置を内蔵してもよい。過昇温防止装置９は、図６に示すように、複数の過昇温防止ユニット９２をアルミニウム等、熱伝導性のよい金属から形成された金属ケース９１に内蔵しており、上記過昇温防止ユニット９２は、サーモスタットと温度ヒューズとから構成されている。過昇温防止装置９は、通常、５〜７個の過昇温防止ユニット９２を含み、また、発熱体２は、２〜３個の上記過昇温防止装置９を内設する。
【００１７】
図７（ａ）に３個の過昇温防止装置９を内設した発熱体２の斜視図、図７（ｂ）に、図７（ａ）のＣ−Ｃ線に沿う側断面図を示す。図７（ａ）、（ｂ）からよくわかるように、熱伝導性のよい金属からなる金属ケース９１を均熱板Ｋに接して配設しているため、もし、発熱体２に異常な温度上昇がみられた場合、過昇温防止ユニット９２が直ちに検知して、給電線４への給電を遮断する。このようにすることにより、既述の漏水検知手段１に加え、この過昇温防止装置９を設けることにより、床暖房パネルの安全性を一層高めることができる。
【００１８】
【発明の効果】
以上述べたように、請求項１に記載の発明は、漏水検知手段１を備えた床暖房パネルであって、該漏水検知手段１は微弱な電圧が加えられた２本の導線１１と、水の存在により上記導線１１間に電流が流れたとき、この通電を検知して床暖房パネルへの給電を遮断するコントローラ１２とからなるとともに、上記２本の導線１１が給電線４近傍に配設されていることを特徴とする床暖房パネルである。このようにすることにより、給電線４の近傍に漏水、水濡れ等があった場合、常に電圧がかかっている上記２本の導線１１がセンサとして機能し、直ちに該漏水による通電を検知して床暖房パネルへの給電を遮断するため、水の浸入による給電線４の短絡、漏電等による事故を未然に防ぐことができる。したがって、水との接触の多い水回り部分の床暖房に、特に、有用に用いられる。
【００１９】
請求項２に記載の発明は、上記漏水検知手段１の２本の導線１１が、発熱体２に凹設された配線通路３の中で給電線４と並設される。このようにすることによって、請求項１に記載の発明の効果に加えて、漏水、水濡れ等により表面化粧板６の上に水が流れ、蓋７と表面化粧板６の隙間等から上記配線通路３に浸水すると、２本の導線１１間に電流が流れるため、コントローラ１２が該通電を検知し、直ちに給電線４への給電が遮断される。
【００２０】
請求項３に記載の発明は、上記漏水検知手段１の２本の導線１１が、発熱体２に凹設された配線通路３の裏面に裏面紙８を介して取り付けられる。このようにすることによって、漏水、水濡れ等により水が表面化粧板６から床暖房パネルの上に流れ、隙間から浸入して床暖房パネルの裏面に回り、裏面に貼り付けられた裏面紙８を濡らすと２本の導線１１間に電流が流れ、漏水が検知される。その結果、コントローラ１２が該通電を検知し、直ちに給電線４への給電が遮断される。
【００２１】
請求項４に記載の発明は、上記配線通路３の裏面に裏面紙８を介して取り付けられる２本の導線１１を、金属薄膜とすることが好ましい。銅箔、アルミ箔等電気伝導性のよい金属の薄膜を用いることにより、請求項３に記載の発明の効果に加えて、上記裏面紙８との接触面積を大きくして、作業性よく取り付けることができる。
【００２２】
請求項５に記載の発明は、上記隣り合う床暖房パネルの２本の導線１１どうしが、相互に接続可能とされる。このようにすることによって、請求項１に記載の発明の効果に加えて、隣り合う床暖房パネルの２本の導線１１どうしをパネル間で相互に導線接続手段１１１により接続して部屋の大きさに敷き詰め、部屋全体に対応して、漏水、水濡れ等を検知し、直ちに給電線４への給電を遮断することができる。
【図面の簡単な説明】
【図１】本発明の実施例１にかかる床暖房パネルの分解斜視図である。
【図２】図１のＡ−Ａ線に沿う側断面図である。
【図３】本発明の実施例２にかかる床暖房パネルの分解斜視図である。
【図４】図３のＢ−Ｂ線に沿う側断面図である。
【図５】本発明にかかる複数枚の床暖房パネルを敷き詰めた状態を示す斜視図である。
【図６】過昇温防止装置を示す透視斜視図である。
【図７】（ａ）過昇温防止装置を内設した発熱体２の斜視図である。
（ｂ）図７（ａ）におけるＣ−Ｃ線に沿う側断面図である。
【図８】公知の床暖房パネルの一例を示す分解斜視図である。
【符号の説明】
１　　　　　漏水検知手段
１１　　　　導線
１１１　　　導線接続手段
１２　　　　コントローラ
２　　　　　発熱体
２１　　　　ヒーター
３　　　　　配線通路
４　　　　　給電線
５　　　　　コネクタ
６　　　　　表面化粧板
６１　　　　表面化粧板に設けられた矩形切り欠き部
７　　　　　蓋
８　　　　　裏面紙
９　　　　　過昇温防止装置
９１　　　　金属ケース
９２　　　　過昇温防止ユニット
Ｃ　　　　　給電コントローラ
Ｋ　　　　　均熱板
【図１】
2004138349.tif 000003
【図２】
2004138349.tif 000004
【図３】
2004138349.tif 000005
【図４】
2004138349.tif 000006
【図５】
2004138349.tif 000007
【図６】
2004138349.tif 000008
【図７】
2004138349.tif 000009
【図８】
2004138349.tif 000010